(57)【特許請求の範囲】
【請求項１】
脱穀装置の横側部を覆うサイドカバーを着脱自在に設けるとともに、穀粒を揺動選別する揺動選別装置の下方に、一番処理物を搬出する一番物回収部と、二番処理物を搬出する二番物回収部とを配置し、かつ、一番物回収部と二番物回収部との底部に清掃口を設け、これらの清掃口に開閉自在な清掃口蓋を夫々備えてある脱穀装置であって、
前記清掃口蓋を開閉操作可能な操作レバーを備え、清掃口蓋を閉じ操作した状態における前記操作レバーを固定可能に構成するとともに、
固定状態の操作レバーに、前記サイドカバーを係止連結するための係止部を設けてある脱穀装置。
【請求項２】
前記操作レバーの横軸芯周りの上下方向への揺動操作によって前記清掃口蓋を開閉操作するように構成するとともに、操作レバーを脱穀装置側板に沿った格納姿勢と、脱穀装置外方に張り出した操作姿勢とに切換え揺動可能に構成してある請求項１記載の脱穀装置。
【発明の詳細な説明】
【０００１】
【発明の属する技術分野】
本発明は、穀粒を揺動選別する揺動選別装置の下方に配置した一番物回収部と二番物回収部との底部に清掃口を設け、これらの清掃口に開閉自在な清掃口蓋を夫々備えてある脱穀装置に関する。
【０００２】
【従来の技術】
従来より、一番物回収部及び二番物回収部に残存する穀粒や枝付き籾などの除去や、スクリューコンベアのメンテナンスを行うために、一番物回収部と二番物回収部とに備えた清掃口に清掃口蓋を設け、この清掃口蓋を開閉操作する操作レバーを備えたものが知られている。
そして、残留物の除去やメンテナンス作業から刈取り作業に移る際に、清掃口蓋を閉め忘れるのを防ぐために、清掃口蓋を開き操作した状態の操作レバーを外方に位置させ、この操作レバーによってサイドカバーの取り付けを妨害することで、サイドカバーを取付けにくくして操縦者に清掃口が開口状態であると気付かせるものが考えられている。
【０００３】
【発明が解決しようとする課題】
しかし、上記構成のものであると、サイドカバーを取り付ける際に操作レバーによる抵抗はあるものの、この抵抗に気付かないままサイドカバーを取付けてしまうと、清掃口が中途半端に開いた状態で刈取り作業を行ってしまうおそれのあるものであった。
【０００４】
本発明の目的は、サイドカバーを取り付ける際に、清掃口が開口していれば作業者に開口状態であると確実に認識させ、清掃口が開口した状態で刈取作業を開始してしまうのを防ぐ点にある。
【０００５】
【課題を解決するための手段】
〔構成〕
本発明の請求項１にかかる特徴構成は、脱穀装置の横側部を覆うサイドカバーを着脱自在に設けるとともに、穀粒を揺動選別する揺動選別装置の下方に、一番処理物を搬出する一番物回収部と、二番処理物を搬出する二番物回収部とを配置し、かつ、一番物回収部と二番物回収部との底部に清掃口を設け、これらの清掃口に開閉自在な清掃口蓋を夫々備えてある脱穀装置において、
前記清掃口蓋を開閉操作可能な操作レバーを備え、清掃口蓋を閉じ操作した状態における前記操作レバーを固定可能に構成するとともに、
固定状態の操作レバーに、前記サイドカバーを係止連結するための係止部を設けてある点にある。
【０００６】
〔作用〕
上記構成によれば、清掃口蓋の閉じ操作による清掃口が閉口した状態における操作レバーに、サイドカバーを係止連結する係止部を構成しているため、操作レバーを清掃口が閉口する位置に操作し、操作レバーを固定している状態であればサイドカバーを機体に係止固定することができるが、操作レバーを清掃口が開口する位置に操作するとサイドカバーを係止する位置に係止可能な部材がないため、サイドカバーを機体に取付けることができない。
【０００７】
〔効果〕
従って、請求項１の発明によると、清掃口が開口している状態でサイドカバーを取り付けて刈取り作業に移ろうとしても、サイドカバーが取り付けられないことから清掃口が開口した状態であると認識することができ、清掃口蓋の閉め忘れを防ぐことができる。
【０００８】
〔構成〕
本発明の請求項２にかかる特徴構成は、請求項１記載のものにおいて、前記操作レバーの横軸芯周りの上下方向への揺動操作によって前記清掃口蓋を開閉操作するように構成するとともに、操作レバーを脱穀装置側板に沿った格納姿勢と、脱穀装置外方に張り出した操作姿勢とに切換え揺動可能に構成してある点にある。
【０００９】
〔作用・効果〕
上記構成によれば、清掃口蓋の開閉操作を操作レバーの上下方向への揺動操作によって行うため、体重をかけて操作レバーを操作するなどして、操作レバーに対して力が入れやすくなり、横揺動する場合に比較して操作を行いやすい操作レバーの操作構造を得ることができる。
【００１０】
【発明の実施の形態】
以下、本発明の実施の形態を図面に基づいて説明する。図１は、コンバインに搭載している本発明を適用した脱穀装置を示している。この脱穀装置はフィードチェーン１で挟持搬送されてきた刈取穀稈を脱穀処理する扱胴２を扱室３に軸支し、この扱胴２の下方で脱穀した処理物を漏下処理する受網４を張設する脱穀部Ａと、脱穀処理物を後方に揺動移送しながら篩い選別ならびに風選別処理し、選別処理物を一番処理物（穀粒）と二番処理物（枝付き籾等）とに分けて回収する選別部Ｂとを備えて構成している。
【００１１】
前記選別部Ｂは、受網４の前部から漏下した処理物を穀粒とわら屑とに比重選別しながら後方へ移送するグレンパン５、グレンパン５や受網４からの処理物を篩い選別するチャフシーブ６、穀粒を篩い選別するとともに唐箕１０からの選別風で風選別処理するグレンシーブ７、扱室３の後端からの処理物をわら屑と回収可能な脱穀粒とに選別処理するストローラック８、等をそれぞれ選別ケース９に設け、この選別ケース９を一定ストロークで前後に揺動駆動するように構成している。グレンシーブ７から漏下した一番処理物は、貯留タンク（図示せず）に搬出する一番スクリューコンベア１１ｂを設けた一番物回収部１１に回収し、チャフシーブ６の後端から落下した刺さり籾や枝付き籾等の二番処理物を二番スクリューコンベア１２ｂ、二番物還元装置１３を介して選別上手側に還元して再処理させる二番物回収部１２に回収する。そして、塵埃は、排塵ブロア１４の吸引によって選別風と共に機外に排出するように構成している。
【００１２】
次に、一番物回収部１１について詳しく説明する。図２に示すように、前記一番物回収部１１の底部に位置する脱穀装置の底面板２５には、長手方向に沿って清掃用、並びにメンテナンス用の清掃口１５が開口した樋部２５ｂを形成するとともに、この樋部２５ｂに前記清掃口１５を塞ぐための清掃口蓋１６をその後端部における横軸芯Ｘ１周りに揺動自在に支持してある。
又、前記２番物回収部１２の樋部２５ｃにも、一番物回収部１１と同様に清掃口１５、並びに清掃口蓋１６を備えてあり、清掃口蓋１６の揺動箇所が前端部の横軸芯Ｘ２周りとなる以外は、一番物回収部１１と略同じ構造である。
【００１３】
次に、清掃口蓋１６の揺動操作する構造について説明する。図２に示すように、一番物回収部１１と二番物回収部１２との間に、操作軸１７を左右の脱穀装置側板にわたって架設するとともに、この操作軸１７の左側板１８より左外側に突出させた突出部に、操作軸１７の軸芯Ｙ周り、並びにこの軸芯Ｙに直交する軸芯Ｚ周りに揺動操作自在な操作レバー２０を備えてある。また、操作軸１７の左側板１８内に位置する中間部には、操作軸１７と一体に回動する揺動プレート１９を固設するとともに、揺動プレート１９の夫々端部は、コイルばねで構成したリンク機構２１によって清掃口蓋１６の遊端側と連動連結してある。
そして、操作レバー２０には、一本のパイプ材を屈曲形成して中間部を機体横外側に膨出させた係止部２０ａを形成するとともに、先端部を左側板１８に係止固定する固定部２０ｂを形成してある。
【００１４】
上記のように構成することによって、前記操作レバー２０を軸芯Ｙ周りに揺動操作することによって、操作軸１７が回動し、この回動に伴う揺動プレート１９の揺動によってリンク機構２１を介して前記清掃口蓋１６を開閉操作する。
つまり、図３に示す清掃口１５がそれぞれ開口している状態で、操作レバー２０を軸芯Ｙ周りに上方に揺動操作すると、揺動プレート１９が左側面視で反時計周りに回転し、それぞれの清掃口蓋１６をリンク機構２１によって押し上げて清掃口１５が閉口する脱穀姿勢となる。また、図２に示す清掃口１５がそれぞれ閉口している状態で、操作レバー２０を軸芯Ｙ周りに下方に揺動操作すると、揺動プレート１９が左側面視で時計周りに回転し、それぞれの清掃口蓋１６をリンク機構２１によって引き下げて清掃口１５が開口する清掃姿勢となる。
また、前記操作レバー２０を軸芯Ｚ周りに揺動することで、図４に示す操作レバー２０を左側板１８に沿わせた格納姿勢と、図５に示す機体外方に張出したレバー操作の行いやすい操作姿勢とに切換えることができる。
【００１５】
そして、左側板１８の下端に位置するフランジ部１８ａには、前記操作レバー２０の固定部２０ｂを係止固定する係止孔１８ｂを形成してある。従って、清掃姿勢の操作レバー２０を係止孔１８ｂに固定するには、操作レバー２０を上方に揺動操作して清掃口蓋１６を閉じ操作し、リンク機構２１の付勢に抗して更に上方に操作して操縦レバー２０の先端をフランジ部１８ａより上方に操作しながら、左側板１８に沿わせた格納姿勢に揺動操作し、その後に固定部２０ｂを係止孔１８ｂに係止固定する。尚、係止固定した状態の操作レバー２０は、左側板１８に沿う格納姿勢であり、かつ、清掃口１５が閉口する脱穀姿勢であるとともに、リンク機構２１によって下方に付勢してある。
【００１６】
次に、脱穀装置の横側部に付設しているサイドカバー２２について説明する。図６に示すように、サイドカバー２２を上部カバー２３と下部カバー２４とで構成しており、上部カバー２３でフィードチェーン１を覆い、下部カバーで左側板１８の外側に配備しているベルト伝動機構２７を覆うようにそれぞれを着脱自在に取付けてある。そして、下部カバー２４は、内面側に上部の左右２箇所に備えた可動フック２８と、下方右寄りの２箇所に備えた固定フック２９とを備え、可動フック２８を左側板１８に設けた係合金具３１に対して弾性的に付勢係合するように構成するとともに、下部カバー２４の外面側から手動で可動フック２８の離脱操作が可能に構成してある。
【００１７】
下部カバー２４を脱穀装置の横側部に取り付けるには、脱穀姿勢であり、かつ係止固定した状態の操作レバー２０の係止部２０ａに固定フック２９を係止し、その後、下部カバー２４を係止部２０ａ周りに揺動させることにより、可動フック２８を係止金具３１に係合させて取付ける。
つまり、下部カバー２４の固定フック２９を揺動する操作レバー２０に係止する構造であるため、清掃口１５を開口させた状態の操作レバー２０に下部カバー２４を装着しようとしても、係止部２０ａが係止可能な位置になかったり、強引に取り付けようとしても操作レバーが揺動してしまうために上手く係合させることができなかったりして、係止部２０ａは固定した状態でなければ係止部２０ａとして作用することができないものであり、サイドカバー２２を取り付ける際に作業者に清掃口１５が開口状態であると認識させることができる。
【００１８】
次に、唐箕１０の風量調節構造について説明する。
図７、図８に示すように、底面板２５の唐箕ケース部２５ａには、機体前方に向けた開口部２５ｄを形成しており、この開口部２５ｄに付設した排風カバー３２を揺動させることによって、この開口部２５ｄから抜け出る排風量が調節操作され、もって、唐箕１０から送出される選別風量を調節操作する構造となっている。
【００１９】
この排風カバー３２は、支持軸３３に半円状の規制部材３４を取り付け、中間部にカバー部材３５を固着するとともに、一端側に人為的なレバー操作や、チャフシーブ上の穀粒を検出するセンサの検出結果、等に基づいて揺動する連結部３３ａを形成してある。そして、唐箕ケース部２５ａには、支持軸３３を支持するＪ字形のブラケット３６が左右両側の２箇所に付設してある。
【００２０】
排風カバー３２を唐箕ケース部２５ａに取付けるには、図７（イ）に示すように、カバー部材３５を支持軸３３より上方に位置させて、規制部材３４を唐箕ケース部２５ａに対して支持軸３３の反対側に位置する状態で支持軸３３をブラケット３６に嵌入し、頭７（ロ）に示すように、支持軸３３を左側面視で反時計周りに回転させることで、規制部材３４が唐箕ケース部２５ａに接当し、支持軸３３がブラケット３６の奥に嵌入させて取付ける。
よって、支持軸３３は、カバー部材３５が支持軸３３より下方に位置する姿勢では、支持軸３３のブラケット３６からの抜け出しが規制部材３４によって規制されており、操作レバーや自動制御等により排風量を調節するための揺動範囲では離脱不可能に設定してある。
【００２１】
〔別実施の形態〕
上記実施の形態では、一本の操作レバーによって一番物回収部の清掃口蓋と二番物回収部の清掃口蓋との両方を開閉操作する構造としたが、それぞれの清掃口蓋に操作レバーを備え、別々に開閉操作する構造でも良い。
【００２２】
清掃口蓋を開閉操作する操作レバーの方向が縦軸芯周りでも良い。つまり、左側板に沿った格納姿勢から外方に張り出した操作姿勢に操作することによって、清掃口が開口するように構成しても良い。
【００２３】
下部カバーに備える固定フックは１箇所だけでもよく、また、２箇所の固定フックの一方を操作レバーに係止し、もう一方を脱穀装置の左側板に備えた係合金具に係止するようにしても良い。また、２本の操作レバーを備えた場合にはそれぞれの操作レバーに固定フックを係止するように構成する。
【図面の簡単な説明】
【図１】脱穀装置を示す縦断側面図
【図２】清掃口が閉口しているときの操作レバー及び清掃口蓋を示す縦断側面図
【図３】清掃口が開口しているときの操作レバー及び清掃口蓋を示す縦断側面図
【図４】操作レバーの格納姿勢を示す横断平面図
【図５】操作レバーの操作姿勢を示す横断平面図
【図６】脱穀装置の左側縦断背面図
【図７】（イ），（ロ）は、取り付ける際の排風カバーの姿勢変更を順次示す要部の断面図
【図８】脱穀装置の下側正面図
【符号の説明】
１１    一番物回収部
１２    二番物回収部
１５    清掃口
１６    清掃口蓋
１８    左側板
２０    操作レバー
２０ａ  係止部
２２    サイドカバー
【図１】
0003633877.tif 000002
【図２】
0003633877.tif 000003
【図３】
0003633877.tif 000004
【図４】
0003633877.tif 000005
【図５】
0003633877.tif 000006
【図６】
0003633877.tif 000007
【図７】
0003633877.tif 000008
【図８】
0003633877.tif 000009